(57)【要約】【課題】ユーザが頻繁に選択する車載機器の操作項目を表示画面の中から容易に選択できるようにする。【解決手段】ユーザによる操作項目の選択回数を操作項目毎に記憶し（ステップＳ２）、選択回数の合計が所定選択回数（ステップＳ４）に到達したときには、選択回数の多い操作項目ほど上層の画面に表示するように変更したり（ステップＳ５）、所定時間経過（ステップＳ７）したときには、所定時間内における選択回数の多い操作項目ほど上層の画面に表示するように変更したりする（ステップＳ８）。これにより、ユーザが選択することの多い操作項目ほど上層の画面に表示されるため、ユーザは所望の操作項目を容易に探し出すことができる。【選択図】　　　　図２
2004022179.tif 000002
【特許請求の範囲】
【請求項１】
表示手段と、
車載機器の複数の操作項目を前記表示手段に表示させる表示制御手段と、
該表示手段によって表示される操作項目の中から、所望の前記操作項目を選択する選択手段と、
該選択手段によって選択された操作項目に対応した動作を前記車載機器に行わせる制御手段とを備える車載機器制御装置であって、
前記選択手段によって選択された操作項目の選択回数を前記操作項目毎に記憶する選択回数記憶手段を有し、
前記表示制御手段は、前記複数の操作項目を階層的に表示される複数の画面に振り分けるものであって、前記選択回数記憶手段によって記憶された選択回数に基づいて、前記表示制御手段は、選択回数の多い操作項目ほど上層の画面に表示することを特徴とする車載機器制御装置。
【請求項２】
前記表示手段には、前記車載機器毎に前記操作項目を表示する複数の表示領域が設けられていることを特徴とする請求項１記載の車載機器制御装置。
【請求項３】
前記選択回数記憶手段は、全ての前記操作項目の選択回数が所定回数に到達するまでに前記選択手段によって選択された前記操作項目の選択回数を前記操作項目毎に記憶し、
前記表示制御手段は、前記全ての前記操作項目の選択回数が前記所定回数に到達する毎に前記選択回数記憶手段に記憶された選択回数に基づいて、選択回数の多い操作項目ほど上層の画面に表示することを特徴とする請求項１又は２記載の車載機器制御装置。
【請求項４】
前記選択回数記憶手段は、所定時間が経過するまでに前記選択手段によって選択された前記操作項目の選択回数を前記操作項目毎に記憶し、前記表示制御手段は、前記所定時間経過する毎に前記選択回数記憶手段に記憶された選択回数に基づいて、選択回数の多い操作項目ほど上層の画面に表示することを特徴とする請求項１又は２記載の車載機器制御装置。
【請求項５】
前記表示制御手段は、最上層の画面に表示する前記操作項目を前記選択回数が所定回数以上の操作項目に限定して表示することを特徴とする請求項１〜４のいずれかに記載の車載機器制御装置。
【請求項６】
表示手段と、
車載機器の複数の操作項目を表示する画面を前記表示手段に階層的に表示させる表示制御手段と、
該表示手段によって表示される操作項目の中から、所望の前記操作項目を選択する選択手段と、
該選択手段によって選択された操作項目に対応した動作を前記車載機器に行わせる制御手段とを備える車載機器制御装置であって、
前記選択手段によって選択された操作項目の選択回数を前記操作項目毎に記憶する選択回数記憶手段を有し、
該選択回数記憶手段によって記憶された選択回数に基づいて、前記表示制御手段は、前記操作項目表示画面の階層順序を変更することを特徴とする車載機器制御装置。
【請求項７】
前記選択回数記憶手段は、全ての前記操作項目の選択回数が所定回数に到達するまでに前記選択手段によって選択された前記操作項目の選択回数を前記操作項目毎に記憶し、
前記表示制御手段は、前記全ての前記操作項目の選択回数が前記所定回数に到達する毎に前記選択回数記憶手段に記憶された選択回数に基づいて、前記操作項目表示画面の階層順序を変更することを特徴とする請求項６記載の車載機器制御装置。
【請求項８】
前記選択回数記憶手段は、所定時間が経過するまでに前記選択手段によって選択された前記操作項目の選択回数を前記操作項目毎に記憶し、前記表示制御手段は、前記所定時間経過する毎に前記選択回数記憶手段に記憶された選択回数に基づいて、前記操作項目表示画面の階層順序を変更することを特徴とする請求項６記載の車載機器制御装置。
【請求項９】
前記表示制御手段は、選択回数の多い操作項目の属する操作項目表示画面ほど上層となるように階層順序を変更することを特徴とする請求項６〜８のいずれかに記載の車載機器制御装置。
【請求項１０】
前記選択回数記憶手段は、前記操作項目表示画面を単位として、その表示画面に属する操作項目の選択回数を記憶し、
前記表示制御手段は、前記選択回数記憶手段によって記憶された前記表示画面毎の選択回数に基づいて、選択回数の多い表示画面ほど上層となるように階層順序を変更することを特徴とする請求項６〜８のいずれかに記載の車載機器制御装置。
【請求項１１】
前記表示制御手段は、所定の画面切り換え操作に基づいて、下層の画面に表示を切り換えることを特徴とする請求項１〜１０のいずれかに記載の車載機器制御装置。
【発明の詳細な説明】
【０００１】
【発明の属する技術分野】
本発明は、車載機器制御装置に関するものである。
【０００２】
【従来の技術】
近年、車両に搭載される機器や装置の増加や高機能化に伴い、必要とされるスイッチの数が増加傾向にある。このため、多くのスイッチを配置すべく様々な工夫がなされている。例えば、図５は、エアコン、オーディオ、ナビゲーション等の車載機器を操作するセンターパネルの一例である。同図に示すセンターパネルでは、表示部１の周辺に配置された固定タイプのスイッチと、画面とタッチスイッチとを組み合わせたタッチスイッチ付きの表示部１が採用されている。固定タイプのスイッチは、各車載機器の複数の操作項目を画面上に呼び出すことができ、この固定タイプのスイッチを操作することで、対応する車載機器の操作項目が表示部１の画面に表示される。ユーザは、画面に表示された操作項目の中から、所望の操作項目を選択することで、車載機器を操作できる。
【０００３】
このように、画面とタッチスイッチとを組み合わせたタッチスイッチ付きの表示部１を採用することにより、従来からの多くの固定タイプのスイッチをセンターパネルに配置する必要がない。
【０００４】
【発明が解決しようとする課題】
上述のタッチスイッチ付きの表示部１は、表示すべき操作項目の数が多い場合に、例えば、操作項目の表示サイズを小さくして、全ての操作項目を１画面に表示することがある。しかしながら、この操作項目の表示サイズを小さくすることは、ユーザによる操作項目の視認性を低下させたり、１画面に多くの操作項目が表示されるようになるため、所望の操作項目を容易に見つけ出すことができなかったりする問題があった。
【０００５】
本発明は、かかる従来の問題点を鑑みてなされたもので、操作性の良い車載機器制御装置を提供することを目的とする。
【０００６】
【課題を解決するための手段】
請求項１に記載の車載機器制御装置は、表示手段と、車載機器の複数の操作項目を表示手段に表示させる表示制御手段と、この表示手段によって表示される操作項目の中から、所望の操作項目を選択する選択手段と、この選択手段によって選択された操作項目に対応した動作を車載機器に行わせる制御手段とを備える車載機器制御装置であって、選択手段によって選択された操作項目の選択回数を操作項目毎に記憶する選択回数記憶手段を有し、表示制御手段は、複数の操作項目を階層的に表示される複数の画面に振り分けるものであって、選択回数記憶手段によって記憶された選択回数に基づいて、表示制御手段は、選択回数の多い操作項目ほど上層の画面に表示することを特徴とする。
【０００７】
このように、本発明の車載機器制御装置は、ユーザによって選択された操作項目の選択回数に基づいて、選択回数の多い操作項目ほど上層の操作項目表示画面に表示する。これにより、ユーザは、頻繁に選択する所望の操作項目を、上層の画面から容易に探し出すことが可能となる。すなわち、操作頻度の高い操作項目は、上層の表示画面に表示されるため、ユーザは、頻繁に選択する操作項目を表示画面の階層を不必要に切り換えることなく探し出すことが可能となる。
【０００８】
請求項２に記載の車載機器制御装置によれば、表示手段には、車載機器毎に操作項目を表示する複数の表示領域が設けられている。これにより、複数の車載機器の操作項目が１つの画面に表示されるため、ユーザは、操作する車載機器を変更するたびに画面を切り換える必要がなくなり、ユーザの操作性を向上することができる。
【０００９】
請求項３に記載の車載機器制御装置は、選択回数記憶手段は、全ての操作項目の選択回数が所定回数に到達するまでに選択手段によって選択された操作項目の選択回数を操作項目毎に記憶し、表示制御手段は、全ての操作項目の選択回数が所定回数に到達する毎に選択回数記憶手段に記憶された選択回数に基づいて、選択回数の多い操作項目ほど上層の画面に表示することを特徴とする。
【００１０】
ユーザが頻繁に選択する操作項目の傾向は、選択回数が増加するにつれて変化することが考えられる。従って、所定回数毎に選択回数の多い操作項目ほど上層の画面に表示することで、ユーザの嗜好が選択回数を増すにつれて変化しても、その変化に対応した表示することが可能となる。
【００１１】
請求項４に記載の車載機器制御装置では、選択回数記憶手段は、所定時間が経過するまでに選択手段によって選択された操作項目の選択回数を操作項目毎に記憶し、表示制御手段は、所定時間経過する毎に選択回数記憶手段に記憶された選択回数に基づいて、選択回数の多い操作項目ほど上層の画面に表示することを特徴とする。
【００１２】
ユーザが頻繁に選択する操作項目の傾向は、上記選択回数の増加と同様に、時間が経過するにつれて変化することが考えられる。従って、所定時間毎に選択回数の多い操作項目ほど上層の画面に表示することで、ユーザの嗜好が時間経過に伴って変化しても、その変化に対応した表示をすることが可能となる。
【００１３】
請求項５に記載の車載機器制御装置によれば、表示制御手段は、最上層の画面に表示する操作項目を選択回数が所定回数以上の操作項目に限定して表示することを特徴とする。
【００１４】
１画面に表示する操作項目の数は、少なければ少ないほどユーザは所望の操作項目を容易に探し出すことができる。従って、最上層の画面に表示する操作項目を、例えば、他の操作項目に比べ極端に選択回数の多いものに限定して表示することで、ユーザは、頻繁に選択する操作項目を容易に選択することができる。
【００１５】
請求項６に記載の車載機器制御装置は、表示手段と、車載機器の複数の操作項目を表示する画面を表示手段に階層的に表示させる表示制御手段と、この表示手段によって表示される操作項目の中から、所望の操作項目を選択する選択手段と、この選択手段によって選択された操作項目に対応した動作を車載機器に行わせる制御手段とを備える車載機器制御装置であって、選択手段によって選択された操作項目の選択回数を操作項目毎に記憶する選択回数記憶手段を有し、この選択回数記憶手段によって記憶された選択回数に基づいて、表示制御手段は、操作項目表示画面の階層順序を変更することを特徴とする。
【００１６】
このように、操作項目表示画面の階層順序は、選択回数に基づいて変更されるため、例えば、選択回数の多い操作項目を含む操作項目表示画面を上層に変更することで、ユーザは、頻繁に選択する操作項目を容易に選択することができる。
【００１７】
請求項７に記載の車載機器制御装置では、選択回数記憶手段は、全ての操作項目の選択回数が所定回数に到達するまでに選択手段によって選択された操作項目の選択回数を操作項目毎に記憶し、表示制御手段は、全ての操作項目の選択回数が所定回数に到達する毎に選択回数記憶手段に記憶された選択回数に基づいて、操作項目表示画面の階層順序を変更することを特徴とする。
【００１８】
ユーザが頻繁に選択する操作項目の傾向は、選択回数が増加するにつれて変化することが考えられる。従って、所定回数毎に選択回数の多い操作項目を含む操作項目表示画面ほど上層に表示することで、ユーザの嗜好が選択回数を増すにつれて変化しても、その変化に対応した表示することが可能となる。
【００１９】
請求項８に記載の車載機器制御装置は、選択回数記憶手段は、所定時間が経過するまでに選択手段によって選択された操作項目の選択回数を操作項目毎に記憶し、表示制御手段は、所定時間経過する毎に選択回数記憶手段に記憶された選択回数に基づいて、操作項目表示画面の階層順序を変更することを特徴とする。
【００２０】
ユーザが頻繁に選択する操作項目の傾向は、上記選択回数の増加と同様に、時間が経過するにつれて変化することが考えられる。従って、所定時間毎に選択回数の多い操作項目を含む操作項目表示画面ほど上層に表示することで、ユーザの嗜好が時間経過に伴って変化しても、その変化に対応した表示をすることが可能となる。
【００２１】
請求項９に記載の車載機器制御装置では、表示制御手段は、選択回数の多い操作項目の属する操作項目表示画面ほど上層となるように階層順序を変更することを特徴とする。
【００２２】
これにより、ユーザが頻繁に使用する車載機器の操作項目は上層に表示されるため、ユーザは頻繁に使用する所望の車載機器の操作項目を上層の操作項目表示画面から容易に選択することができる。
【００２３】
請求項１０に記載の車載機器制御装置は、選択回数記憶手段は、操作項目表示画面を単位として、その表示画面に属する操作項目の選択回数を記憶し、表示制御手段は、選択回数記憶手段によって記憶された表示画面毎の選択回数に基づいて、選択回数の多い表示画面ほど上層となるように階層順序を変更することを特徴とする。
【００２４】
これにより、ユーザが使用することが多い車載機器の操作項目表示画面ほど上層に位置されるため、ユーザは、頻繁に使用する車載機器の操作項目を容易に探し出すことが可能となり、その結果、ユーザの操作性が向上される。
【００２５】
請求項１１に記載の車載機器制御装置のように、表示制御手段は、所定の画面切り換え操作に基づいて、下層の画面に表示を切り換えることで、操作項目の多い場合であっても、全ての操作項目を画面に表示することができる。これにより、ユーザは所望の操作項目を上層から下層の表示画面へと表示を切り換えることで探し出すことが可能となる。
【００２６】
【発明の実施の形態】
以下、本発明の実施の形態における車載機器制御装置に関して、図面に基づいて説明する。
【００２７】
（第１の実施形態）
図１は、本実施形態に係わる車載機器制御装置と複数の車載機器との接続関係を示すブロック図である。同図に示すように、本実施形態の車載機器制御装置は、パネルＥＣＵ２（表示制御手段、制御手段及び選択回数記憶手段）、及びパネルＥＣＵ２に接続された表示部１（選択手段及び表示手段）から構成されている。パネルＥＣＵ２は、車載機器を制御する各ＥＣＵ３、４、５と多重信号線６を介して接続されている。
【００２８】
表示部１は、液晶の画面にタッチパネルが採用されたもので、画面上には、各車載機器を動作させるための操作項目が表示される。ユーザは、画面に表示された操作項目に触れることで、所望の操作項目を選択することができる。また、表示部１は、操作項目が選択されると、その操作項目に対応する操作信号をパネルＥＣＵ２へ送信する。なお表示部１は、画面にタッチパネルが装備されたものに限らず、例えば、ハードスイッチ等が別途装備されたものであっても良い。
【００２９】
ここで、本実施形態の表示部１の画面表示について詳しく説明する。表示部１に表示される操作項目は、車載機器毎に階層的に表示される複数の画面に振り分けられており、初期画面として最上層に位置する画面がまず表示される。さらに、ユーザによってページ送りされた場合には、下層に位置する画面が表示される。これについて、図３（ａ）を例にして具体的に説明すると、現在最上層に位置するのがナビゲーションの第１階層であり、この最上層が表示部１の初期画面として表示される。そして、それに続く下層に位置するのがエアコン第１階層、オーディオ第１階層、ナビゲーション第２階層の順である。このナビゲーションの第１階層が最上層であるとき、ページ送りキー１０をユーザが選択すると、階層がその順序に従って移動し、最上層がエアコン第１階層に切り換わり、このエアコン第１階層が表示部１に表示される。そして、ページ送りキー１０が選択されるまで最上層に位置していたナビゲーション第１階層は、最下層に移動する。
【００３０】
このように、本実施形態の表示部１は、複数の車載機器の操作項目表示画面を階層的に表示するように構成されており、階層の順序は、後述するパネルＥＣＵ２からの指示により決定される。
【００３１】
多重信号線６は、例えば、車内ＬＡＮ（Ｌｏｃａｌ　Ａｒｅａ　Ｎｅｔｗｏｒｋ）に用いられる信号伝送のための配線である。この多重信号線６は、図１に示すように、各ＥＣＵ３、４、５とパネルＥＣＵ２との接続に用いられている。
【００３２】
パネルＥＣＵ２は、前述のように、各車載機器のＥＣＵ３、４、５と多重信号線６によって接続されており、この多重信号線６を介して信号の送受信を行う。例えば、ユーザが所望の操作項目を表示部１の画面の中から選択すると、この表示部１からパネルＥＣＵ２へ操作項目に対応する操作信号が伝達される。パネルＥＣＵ２は、伝達された操作信号に対応する制御信号を各ＥＣＵ３、４、５に送信し、各ＥＣＵ３、４、５は、受信した制御信号に応じて各車載機器を動作させる。また、各ＥＣＵ３、４、５は、各車載機器の動作状態信号をパネルＥＣＵ２へ送信し、パネルＥＣＵ２は動作状態信号を受信し、各車載機器の作動状況を表示部１へ表示させる場合には、この動作状態信号に対応する表示指示信号を表示部１へ送信する。
【００３３】
さらに、パネルＥＣＵ２は、図示しないＣＰＵ、ＲＯＭ及びＲＡＭ、タイマー等を備えている。ＲＯＭには、ＣＰＵが動作するためのプログラムが書き込まれており、このプログラムに従ってＣＰＵは動作する。ＲＡＭは、ＣＰＵの動作に必要な記憶領域の他に、ユーザによる操作項目の選択回数を操作項目毎に記憶する領域を有している。また、タイマーは、ＣＰＵからの指示を受けて時間のカウントを開始し、また所定時間に達した場合には、そのトリガ信号をＣＰＵへ送信する。
【００３４】
次に、本発明の特徴である、ユーザの操作項目の選択回数に応じて、表示部２の複数画面の階層の順序を変更する処理について、図２のフローチャート、及び図３の表示部２への表示イメージ図を用いて説明する。
【００３５】
先ず、表示部１に電源が投入されると、表示部１の画面には、最上層に位置する車載機器の画面が表示される。図３（ａ）の例では、最上層に位置するナビゲーション第１階層が画面に表示される。さらに、パネルＥＣＵ２に装備されたタイマーが時間のカウントを開始する。
【００３６】
続いて、ユーザは、所望の車載機器の操作項目を画面上から探し出す。なお、所望の操作項目が画面上に無い場合には、ページ送りキー１０を選択して下層に位置する車載機器の画面を表示させる。
【００３７】
次に、図２のステップＳ１では、ユーザによって操作項目が選択されたか否かを判断する。ここで、操作項目が選択された場合には、ステップＳ２に処理が進み、操作項目が選択されていない場合には、操作項目が選択されるまで待機状態となる。
【００３８】
ステップＳ２では、選択された操作項目の選択回数を操作項目毎に記憶する。この選択回数は、前述のように、パネルＥＣＵ２に装備されたＲＡＭの記憶領域に記憶されるが、過去に選択したことのある操作項目の場合には、その過去の選択回数に加算して記憶する。ステップＳ３は、全ての操作項目毎の選択回数をカウントする。すなわち、ＲＡＭに記憶された全ての操作項目毎の選択回数の合計を求める。
【００３９】
ステップＳ４は、ステップＳ３で求めた選択回数の合計が、所定の選択回数に到達したか否かを判断する。ここで、選択回数の合計が所定の選択回数に到達していた場合には、ステップＳ５に処理が移行し、そうでない場合にはステップＳ７に処理が進む。なお、所定の選択回数は、予めＲＯＭに書き込まれている回数であるが、ユーザによって任意に設定が可能であっても良い。例えば、ユーザに選択回数の設定操作を求め、設定された選択回数をＲＡＭに記憶させ、このＲＡＭに記憶された選択回数に基づいてステップＳ４が実行されても良い。
【００４０】
ステップＳ５では、所定選択回数における操作項目毎の選択回数を参照して、すべての操作項目を選択回数の多いものから順位付けする。そして、第１位の操作項目が属する車載機器の画面を最上層に設定し、第２位の操作項目が属する車載機器の画面を最上層に続く次の階層として設定する。以後、第３位から最下位までの操作項目が属する車載機器の画面を設定し、最終的に各車載機器の全ての画面が、順位付けに基づいて設定される。
【００４１】
なお、ステップＳ５においては、上記の設定方法に限らず、例えば、各車載機器の操作項目表示画面を単位として、最も操作頻度の高い画面から順に階層を設定しても良い。図３（ａ）は、デフォルトとして設定された複数画面の階層の順序が、図３（ｂ）のように変更された例である。
【００４２】
ステップＳ６では、ＲＡＭの記憶領域内に記憶される操作項目毎の選択回数を全てリセット（又は消去）する。その後、ステップＳ１に処理が移行し、上述と同様な処理が繰り返される。
【００４３】
ステップＳ７は、表示部１に電源が投入されてから所定時間経過したか否かを、タイマーのカウントに基づいて判断する。ここで、所定時間経過したいた場合には、ステップＳ８に処理が移行し、そうでない場合にはステップＳ１に処理が移行する。なお、所定時間は、予めＲＯＭに書き込まれている時間であるが、ユーザによって任意に設定が可能であっても良い。例えば、ユーザに時間の設定操作を求め、設定された時間をＲＡＭに記憶させ、このＲＡＭに記憶された時間に基づいてステップＳ７が実行されても良い。
【００４４】
ステップＳ８では、所定時間内における操作項目毎の選択回数を参照して、複数画面の階層の順序を変更する。このステップＳ８に関する詳しい処理方法の説明は、ステップＳ５の処理と同様であるので省略する。
【００４５】
ステップＳ９では、タイマーのカウントをリセットする。その後、ステップＳ１に処理が移行し、上述と同様な処理が繰り返される。
【００４６】
このように、本実施形態の車載機器制御装置は、ユーザによって選択された操作項目の選択回数に基づいて、選択回数の多い操作項目を含む操作項目表示画面ほど上層に位置するように設定している。従って、ユーザは、頻繁に選択する所望の操作項目を、上層の画面から容易に探し出すことが可能となり、その結果、ユーザの操作性が向上される。また、ユーザは、ページ送りキー１０を選択することで、階層を切り換えて所望の操作項目を探し出すことが可能となる。
【００４７】
また、所定回数毎或いは所定時間毎に複数の画面の階層順序を変更するため、選択回数が増すにつれてユーザの嗜好が変化しても、その変化に対応して定期的に複数の画面の階層順序を変更することができる。その結果、ユーザの嗜好の変化に合致した表示することが可能となる。
【００４８】
なお、本実施形態では、所定回数及び所定時間に達したときの選択回数に基づいて複数の画面の階層順序を変更しているが、所定回数のみ、或いは、所定時間のみに達したときの選択回数に基づくものであっても良い。さらに、図３（ｂ）に示すように、本実施形態では、複数の画面の階層順序を変更するものであるが、各画面内の操作項目の配置を選択回数に基づいて変更するものであっても良い。例えば、画面内における操作項目を、選択回数の多い順に画面の上部から下部へと表示したりする等である。
【００４９】
（第２の実施形態）
第２の実施形態は、第１の実施形態によるものと共通するところが多いので、以下、共通部分についての詳しい説明は省略し、異なる部分を重点的に説明する。
【００５０】
第２の実施形態において第１の実施形態と異なる点は、車載機器毎に操作項目を表示する複数の表示領域が画面に設けられている点と、第１の実施形態において説明した図２に示すステップＳ５及びＳ８の処理の点にある。以下、これらの異なる点について、図４の表示部２への表示イメージ図を用いて説明する。
【００５１】
図４（ａ）は、車載機器毎に操作項目を表示する複数の表示領域が表示部１の画面に設けられた具体例を示すものである。画面左にはエアコンの操作項目の表示領域が、画面中央にはオーディオの操作項目の表示領域が、そして画面右にはナビゲーションの操作項目の表示領域がそれぞれ設けられている。また、各表示領域は、表示可能な操作項目の数が規定されている（同図では、車載装置毎に４個まで）。さらに、各表示領域の最下部にはページ送りキー１０が配置されており、ユーザはこのページ送りキー１０を選択することで、最上層の画面に表示されていない、他の操作項目を車載機器毎の表示領域に表示させることができる。なお、１画面に表示することができる操作項目の数は、例えば、画面サイズや表示する操作項目のサイズ等に応じて変更されるものである。
【００５２】
次に、本実施形態におけるステップＳ５及びＳ８の処理について説明する。本実施形態では、所定選択回数における操作項目毎の選択回数を参照して、すべての操作項目を選択回数の多いものから順位付けした後、車載機器毎に第１位から第４位までの操作項目を抽出し、この４つの操作項目を最上層の画面として設定する。そして、車載機器毎の第５位から第８位までの操作項目を次の階層の画面に設定する。以降、最下位までの操作項目を順次下層の画面に設定する。
【００５３】
そして、最上層の画面に設定された車載機器毎の４個の操作項目が初期画面に表示され、下層に設定された操作項目は、ページ送りキー１０がユーザによって選択されたときに画面に表示される。なお、表示される操作項目の順序は、選択回数の多いものから画面の上部に表示されると良い。
【００５４】
図４（ｂ）は、デフォルトの状態であった図４（ａ）から階層の順序が変更された例である。なお、同図のエアコンの表示領域のように、最上層の画面には、所定回数以上の操作項目のみに限定して表示しても良い（同図では、ＡａとＡｂの２個）。例えば、他の操作項目よりも５０回以上の選択回数の差がある操作項目を表示する等である。
【００５５】
このように、画面上に車載機器毎に操作項目を表示する複数の表示領域が設けることで、ユーザは、操作する車載機器を変更するたびに画面を切り換える必要がなくなり、ユーザの操作性を向上することができる。また、最上層の画面に表示する操作項目の数を制限することで、画面に表示される操作項目は少なくなり、ユーザは所望の操作項目を容易に探し出すことができる。
【図面の簡単な説明】
【図１】本発明の実施形態に係わる、車載機器制御装置と複数の車載機器との接続関係を示すブロック図である。
【図２】本発明の実施形態に係わる、車載機器制御装置の処理の流れを示すフローチャートである。
【図３】第１の実施形態に係わる、表示部１への表示イメージ図である。
【図４】第２の実施形態に係わる、表示部１への表示イメージ図である。
【図５】従来技術における、センターパネルのイメージ図である。
【符号の説明】
１・・・表示部、２・・・パネルＥＣＵ、３・・・ナビゲーションＥＣＵ、４・・・エアコンＥＣＵ、５・・・オーディオＥＣＵ、６・・・多重信号線
【図１】
2004022179.tif 000003
【図２】
2004022179.tif 000004
【図３】
2004022179.tif 000005
【図４】
2004022179.tif 000006
【図５】
2004022179.tif 000007